(57)【要約】【課題】載置面上に照明器を設けることなく展示物を照明することができ、透光性を有する材質からなる展示物の展示効果を向上することができる展示装置を提供する。【解決手段】展示装置１の回転テーブルに展示物５０を設置する。そして、ストッパ６にて、展示物５０の基台５１を係止し、展示物５０を回転テーブルに固定する。次に、電源スイッチ３６を押してオン操作する。これによって、回転テーブル、レンズ、展示物５０は、ともに回転する。このとき、回転速度調整用ダイヤル３７にて回転テーブルの回転速度を所望の速度に設定する。展示物５０は、下方（ケース本体２内）から光源によって、その本体５２内部を介して照明されるとともに、回転しながらその発色を変化させる。【選択図】        図７
2004313263.tif 000002
【特許請求の範囲】
【請求項１】
透光性を有する材質からなる展示物をケース本体の載置面に載置して展示する展示装置であって、
展示物を照明する発光ダイオードからなる光源と、
前記光源から照射される光を集束及び拡散させるレンズと
を前記ケース本体内かつ前記載置面の内側であって同載置面と対向する位置に設けたことを特徴とする展示装置。
【請求項２】
請求項１に記載の展示装置において、
前記ケース本体内には、前記載置面に載置された展示物を同載置面と水平方向に回転させる駆動機構を設けたことを特徴とする展示装置。
【請求項３】
請求項２に記載の展示装置において、
前記駆動機構は、駆動モータと駆動ベルトからなり、同駆動モータは、同駆動ベルトを介して、前記載置面に駆動連結することを特徴とする展示装置。
【請求項４】
請求項１〜３に記載の展示装置において、
前記発光ダイオードは、赤色ダイオード、青色ダイオード、緑色ダイオードからなることを特徴とする展示装置。
【請求項５】
請求項１〜４に記載の展示装置において、
前記レンズの前記光源と対向する面には、同光源から照射される光を集束及び拡散させる複数の凸部を形成したことを特徴とする展示装置。
【請求項６】
請求項１〜５に記載の展示装置において、
前記レンズの展示物と対向する面には、同レンズを介して照射される光を集束させる曲面を形成したことを特徴とする展示装置。
【請求項７】
請求項１〜６に記載の展示装置において、
前記展示装置には、展示物を保持するための保持手段を設けたことを特徴とする展示装置。
【請求項８】
請求項７に記載の展示装置において、
前記保持手段は、前記載置面に設けられ、展示物を同載置面に係止するストッパであることを特徴とする展示装置。
【請求項９】
請求項７に記載の展示装置において、
前記保持手段は、前記ケース本体に形成され、前記載置面に載置される展示物の基台を前記ケース本体に嵌合させるための溝部であることを特徴とする展示装置。
【請求項１０】
請求項１〜９に記載の展示装置において、
前記ケース本体には、展示物が載置されているか否かを検出する展示物検出手段を備え、
前記展示物検出手段が前記載置面に展示物が載置されていないことを検出した場合には、展示物の紛失を報知する報知手段を備えたことを特徴とする展示装置。
【請求項１１】
請求項１〜１０に記載の展示装置において、
前記展示装置には、選択された発光モードに基づいた電流を前記発光ダイオードに入力し、同発光ダイオードの発光強度及び発光タイミングを制御する制御手段を備えたことを特徴とする展示装置。
【発明の詳細な説明】
【０００１】
【発明の属する技術分野】
本発明は、展示物をケース本体に載置して展示する展示装置に関する。
【０００２】
【従来の技術】
従来、展示物を展示するための展示装置では、そのケース本体に載置面を有し、同載置面に展示物を載置することによって展示していた。また、展示装置には、載置面上に光源となる照明器を備えたものがあって、この照明器から展示物に対して側面から光を照射し、照明することによって展示効果を向上させている。このような展示台が種々提案されている（例えば、特許文献１参照。）。
【０００３】
特許文献１の展示装置では、展示装置のケース本体内に収納されている光源から、ファイバを引き回し、展示装置の載置面の四隅にそれぞれ設けられている支持棒を介して、光を支持棒の上端部から照射するようになっている。そして、支持棒の上端部から照射される光は、支持棒の上端部に回転可能に設けられた反射板によって反射される。これによって、この展示装置では、任意の方向から載置面上に載置された展示物対して光を照射している。
【０００４】
【特許文献１】
特開２００２−４２５０５号公報
【０００５】
【発明が解決しようとする課題】
ところで、展示物をより鮮明に照明し展示するためには、展示物に対して多方向から光を照射する必要がある。このため、従来の展示装置では、載置面上に照明器を増設することによって、展示物に対して多方向から光を照射し、展示物を照明していた。しかしながら、照明器が増設されると展示物は鮮明に照明されるが、増設された照明器によって展示物は遮られ、結果として展示物の鑑賞の妨げとなっていた。
【０００６】
本発明は、上記問題点を解消するためになされたものであって、その目的は、載置面上に照明器を設けることなく展示物を照明することができ、透光性を有する材質からなる展示物の展示効果を向上することができる展示装置を提供することにある。
【０００７】
【課題を解決するための手段】
本発明における展示装置は、透光性を有する材質からなる展示物をケース本体の載置面に載置して展示する展示装置であって、展示物を照明する発光ダイオードからなる光源と、前記光源から照射される光を集束及び拡散させるレンズとを前記ケース本体内かつ前記載置面の内側であって同載置面と対向する位置に設けた。
【０００８】
これによれば、前記展示装置の載置面に、例えばガラス製の展示物を載置した場合には、同展示物は、ケース本体内から載置面に照射される光を受けるとともに、その本体を介して表面から光を照射する。従って、前記展示装置では、載置面上に照明器を設けることなく、展示物を照明することができる。
【０００９】
この展示装置は、前記ケース本体内には、前記載置面に載置された展示物を同載置面と水平方向に回転させる駆動機構を設けた。
これによれば、前記展示装置の載置面に載置された展示物は、前記駆動機構によって同載置面上でその水平方向に回転する。従って、展示物は、光源から光を照射されているので、その本体から光を照射しながら回転する。
【００１０】
この展示装置は、前記駆動機構は、駆動モータと駆動ベルトからなり、同駆動モータは、同駆動ベルトを介して、前記載置面に駆動連結する。
これによれば、前記載置面に載置した展示物は、駆動ベルトを介した駆動モータの回転によって回転する。また、駆動ベルトを介して前記載置面と駆動モータを駆動連結させることによって、駆動モータの負荷を軽減できる。
【００１１】
この展示装置は、前記発光ダイオードは、赤色ダイオード、青色ダイオード、緑色ダイオードからなる。
これによれば、前記発光ダイオードは、赤色ダイオード、青色ダイオード、緑色ダイオードからなる。つまり、前記展示装置に載置される展示物は、各ダイオードから照射される光によって照明される。その結果、展示物は、その本体内部を介して、各ダイオードからの光を出力するので、多彩な発色をすることができる。このような構成において、各ダイオードの発光強度を調整すれば、より多彩な色を形成し、前記展示物を発色させるとともに照明することができる。
【００１２】
この展示装置は、前記レンズの前記光源と対向する面には、同光源から照射される光を集束及び拡散させる複数の凸部を形成した。
これによれば、前記光源から照射される光は、前記レンズの複数の凸部によって、集束及び拡散され、同レンズを介して載置面に向けて照射される。従って、前記光源から照射される光は、前記レンズ内で集束及び拡散することによって合成されるので、前記載置面に載置された展示物には、同レンズを介して合成された光が照射される。また、合成される光の波長は、前記光源から照射される光の波長や前記複数の凸部への入射角度によって変化する。この合成される光の変化に応じて、展示物の本体を介して、その表面から照射される光も変化する。
【００１３】
この展示装置は、前記レンズの展示物と対向する面には、同レンズを介して照射される光を集束させる曲面を形成した。
これによれば、前記光源から出力された光は、前記レンズによって、集束され展示物に照射される。従って、展示物には、光源から照射される光を展示物に集束することができる。
【００１４】
この展示装置は、展示物を保持するための保持手段を設けた。
これによれば、保持手段によって保持されることによって、展示物は、安定して載置面に載置することができる。
【００１５】
この展示装置は、前記保持手段は、前記載置面に設けられ、展示物を同載置面に係止するストッパである。
これによれば、展示物をストッパで保持することによって、展示物を安定して載置することができる。従って、例えば地震に遭遇した際に、前記載置面に載置された展示物の転倒することを防ぐことができる。また、前記載置面に載置された展示物を回転させた際の展示物の飛び出しを防ぐことができる。
【００１６】
この展示装置は、前記保持手段は、前記ケース本体に形成され、前記載置面に載置される展示物の基台を前記ケース本体に嵌合させるための溝部である。
これによれば、載置面に載置された展示物は、前記溝部に嵌合し、保持される。従って、前記載置面に載置される展示物の転倒を防止することができる。従って、地震等の振動による転倒を防ぐことができる。
【００１７】
この展示装置は、前記ケース本体には、展示物が載置されているか否かを検出する展示物検出手段を備え、前記展示物検出手段が前記載置面に展示物が載置されていないことを検出した場合には、展示物の紛失を報知する報知手段を備えた。
【００１８】
これによれば、展示物検出手段と報知手段を備えたことによって、前記載置面に載置された展示物の紛失を知ることができる。従って、展示物の盗難を防止することができる。
【００１９】
この展示装置は、選択された発光モードに基づいた電流を前記発光ダイオードに入力し、同発光ダイオードの発光強度及び発光タイミングを制御する制御手段を備えた。
【００２０】
これによれば、前記載置面に載置された展示物には、前記制御手段によって制御された光が照射され、展示物は、この光に応じて発色する。従って、展示物は、前記制御手段によって、その発色や発光タイミング及び発光期間等の発光条件が制御される。
【００２１】
【発明の実施の形態】
以下、本発明を具体化した展示装置の一実施形態を図１〜図７に従って説明する。
【００２２】
図１は、本実施形態の展示装置の概略を説明するための斜視図である。図２は、同図１におけるＡ−Ａ線方向の断面図である。図３は、同展示装置の上面図である。図４は、本実施形態のレンズと光源との位置関係を説明するための側面部分断面図である。
【００２３】
図１に示すように、展示装置１は、箱状に形成されたケース本体２を備えている。そして、ケース本体２の載置面としての上面板３の中央には円形状の孔が設けられており、この孔に沿って円環状に形成された回転テーブル４が設けられている。回転テーブル４は、透光性を有する材質からなる展示物を載置するためのテーブルであって、上面板３の水平方向に回転する。回転テーブル４には、縁部５がその外縁から上方向に延出形成されている。縁部５は、回転テーブル４に載置される展示物の基台と嵌合する保持手段としての溝部である。縁部５上には、回転テーブル４の中心方向に延出させた保持手段としてのストッパ６が着脱可能に設けられている。ストッパ６は、回転テーブル４に載置される展示物を係止し、同回転テーブル４に固定するためのストッパである。また、前記上面板３の回転テーブル４の近傍には、展示物検出手段としてのセンサ７が回転テーブル４の中心に向けて設けられている。センサ７は、回転テーブル４に載置される展示物の存在を検出するためのものであって、例えば、赤外線センサからなる。
【００２４】
また、図２に示すように、前記ケース本体２内の回転テーブル４直下には、円筒状の筒部８が設けられている。そして、回転テーブル４は、筒部８の上端部に複数のネジ９によって固定されている。これによって、筒部８は、上面板３に回転テーブル４を介して支持される。また、筒部８内には、同筒部８の中心軸線上に、上部に円板状の基板１０を有する光源台１１が設けられている。光源台１１は、ケース本体２の下面板１２からネジ１３によって垂直に固定されている。そして、光源台１１の基板１０上には、光源１４が設けられている。光源１４は前記回転テーブル４に載置される展示物を照明するための光源である。
【００２５】
また、図３に示すように、光源１４は、発光ダイオードからなり、青色ダイオード１５、赤色ダイオード１６、緑色ダイオード１７の順に前記基板１０の中心から同心円状に設けられている。本実施形態の光源１４では、青色ダイオード１５は、４０００ミリカンデラで発光し、４個設けられている。さらに、赤色ダイオード１６は、１２カンデラで発光し、８個設けられている。緑色ダイオード１７は、４０００ミリカンデラで発光し、８個設けられている。
【００２６】
前記筒部８の上端部には、前記光源台１１の基板１０の直上であって、前記回転テーブル４の中心部分に、円盤状のレンズ１８が嵌合するように設けられている。レンズ１８は、光源１４から、照射される光を集束又は拡散するためのものである。図４に示すように、レンズ１８には、光源１４と対向する面に、同光源１４からの照射される光を集束又は拡散させる突起状の複数の凸部１９が８個、１６個、１６個と同レンズ１８の中心から同心円状に形成されている。図３に示すように、レンズ１８の複数の凸部１９は、回転テーブル４に嵌合させ設けた際に、青色ダイオード１５、赤色ダイオード１６、緑色ダイオード１７のそれぞれが形成する同心円に重なるように形成されている。展示装置１の上面から見た際に、複数の凸部１９の先端と各ダイオード１５〜１７をそれぞれ相対向させると、複数の凸部１９と各ダイオード１５〜１７は、同心円上において、それぞれ一つおきに配置されている。また、図４に示すように、レンズ１８の回転テーブル４に載置される展示物に対向する面には、同光源１４から同レンズ１８を介して照射される際に、光を集束させる曲面２０が形成されている。
【００２７】
また、図２に示すように、前記ケース本体２内には、上面板３から筒状の筒受け部２１が筒部８を覆うように設けられている。筒受け部２１は、筒部８を回転可能に支持するものであって、同筒受け部２１は、その内側面に突出形成された支持部２２とによって筒部８を支持する。詳しくは、筒部８の外周側面には、ベアリング２３，２４が設けられ、ベアリング２３は、筒部８の外周側面と、支持部２２によって狭持される。さらに、ベアリング２４は、支持部２２と筒部８の外周側面に形成されたネジ山２５に螺合されるナット２６によって狭持されている。つまり、筒部８は、ベアリング２３，２４を介して、筒受け部２１に、同筒部８の軸方向に回転可能に支持されている。これによって、筒部８が回転すると、筒部８に固定された回転テーブル４及び同回転テーブル４の中心に嵌合し設けられたレンズ１８は、筒部８の回転に伴って回転する。
【００２８】
また、筒部８の下端部には、プーリ２７が接続されている。プーリ２７には、駆動ベルトとしてのタイミングベルト２８が掛装され、同タイミングベルト２８は、プーリ２９に掛装されている。さらに、プーリ２９には、回転軸３０が接続されている。そして、回転軸３０には、ケース本体２内に設けられた駆動モータとしてのモータ３１の駆動軸３２とギアボックス３３内にて連結されている。つまり、筒部８とモータ３１はタイミングベルト２８及びプーリ２７，２９からなる駆動機構を介して駆動連結されている。従って、回転テーブル４及びレンズ１８は、モータ３１が駆動することによって一定方向（時計回り）に回転する。
【００２９】
次に、図１に示すように、ケース本体２の側面３４には、コントロールパネル３５が設けられている。コントロールパネル３５は、電源スイッチ３６、回転速度調整用のダイヤル３７、発光制御スイッチ３８、センサスイッチ３９を備えている。電源スイッチ３６は、展示装置１に電源を投入、又は切断する際に押されるスイッチである。回転速度調整用のダイヤル３７は、回転テーブル４の回転速度を調整するためのダイヤルである。発光制御スイッチ３８は、光源１４の発光を後述する発光モードとしての第１発光モード又は、第２発光モードに切り換える際に、押されるスイッチである。センサスイッチ３９は、センサ７による展示物の検出を開始、又は停止させる際に、押されるスイッチである。そして、側面３４には、報知手段としてのスピーカ４０が設けられている。スピーカ４０は、可聴音を発して回転テーブル４に載置される展示物の紛失を報知するためのものである。
【００３０】
次に、前記展示装置１の電気的構成について説明する。
図５は、展示装置１の電気的構成を説明するためのブロック図である。図６は、展示装置１の発光タイミングを説明するためのタイミングチャートである。
【００３１】
図５に示すように、展示装置１は、制御手段としての制御部４１と電源回路４２を備えている。制御部４１は、各要素間（センサ７、光源１４、モータ３１、回転速度調整のダイヤル３７、発光制御スイッチ３８、センサスイッチ３９、スピーカ４０、電源回路４２）とデータを送受信して制御するためのコンピュータである。
【００３２】
制御部４１には、電源回路４２が接続され、同電源回路４２には、電源スイッチ３６が接続されている。電源回路４２は、前記各要素（７，１４，３１，３７〜４０，４２）に駆動電圧を供給するための回路であって、電源スイッチ３６が押されオン操作されると、制御部４１を介して、所定の駆動電圧を供給し、オフ操作されると供給を遮断する。
【００３３】
制御部４１には、前記モータ３１が接続され、又同制御部４１には、回転速度調整用のダイヤル３７が接続されている。そして、制御部４１は、前記ダイヤル３７が回され、同制御部４１に操作信号が出力されると、これに応じた駆動電流をモータ３１に出力し、同モータ３１の回転数を制御する。本実施形態では、ダイヤル３７が時計回りに回転されると、制御部４１は、モータ３１の回転数を上げ、又同ダイヤル３７を反時計回りに回転されると同モータ３１の回転数を下げるようになっている。つまり、ダイヤル３７を時計回りに回すと前記回転テーブル４の回転速度は大きくなり、又反時計回りに回す同回転テーブル４の回転速度は、小さくなる。
【００３４】
制御部４１には、光源１４の各ダイオード１５〜１７を発光させるための発光制御プログラムが記憶されている。そして、制御部４１には、発光制御スイッチ３８が接続されている。制御部４１は、発光制御スイッチ３８が押され操作信号が入力されると、前記発光制御プログラムに応じて、Ｈレベル及びＬレベルの２値のデータ電圧を生成する。そして、制御部４１は、このデータ電圧を読み込んで同データ電圧に応じた電流レベルの駆動電流を前記各ダイオード１５〜１７に出力する。詳述すると、制御部４１は、Ｈレベルのデータ電圧が生成されると、駆動電流を各ダイオード１５〜１７に出力し、Ｌレベルのデータ電圧が生成されると駆動電流を遮断する。そして、図６に示すように、制御部４１は、発光制御スイッチ３８がオン操作され第１発光モードに設定されると、予め設定された発光期間Ｔ内において、Ｈレベルのデータ電圧とＬレベルのデータ電圧を交互に生成する。つまり、制御部４１は、Ｈレベルのデータ電圧を発光期間Ｔの８分の１のＴ１時間生成し、又Ｌレベルのデータ電圧をＴ１時間生成する。そして、Ｔ１時間のＨレベルのデータ電圧の生成と、Ｔ１時間のＬレベルのデータ電圧の生成とを１周期とする周期を４周期生成する。従って、第１発光モードが選択されると、前記光源１４は発光期間Ｔにおいて、Ｔ１時間毎の発光及び発光停止の組み合わせを１周期とする周期を４周期分行う。また、制御部４１は、発光制御スイッチ３８の切り換え操作によって第２発光モードに設定されると、予め設定された発光期間Ｔ内において、Ｈレベルのデータ電圧を発光期間Ｔの８分の７のＴ２時間、Ｌレベルのデータ電圧をＴ１時間生成する。そして、図６に示すように、前記第２発光モードでは、発光期間Ｔにおいて、前記第１発光モードと比べて、２倍のＨレベルのデータ電圧の生成時間を有する。つまり、第２発光モードが選択されると、光源１４は発光期間Ｔにおいて、Ｔ２時間の発光の後に、Ｔ１時間の発光停止を行う。また、制御部４１は、電源スイッチ３６が押され、展示装置１の駆動を開始する際には、第１発光モードで駆動するように設定されている。
【００３５】
制御部４１には、センサ７、スピーカ４０が接続されている。また、制御部４１には、センサスイッチ３９が接続されている。制御部４１は、センサスイッチ３９が押されオン操作され操作信号が入力されると、センサ７から検出信号を入力し、又オフ操作されると検出信号を遮断する。さらに、制御部４１は、検出信号に基づいてスピーカ４０に駆動電圧を出力し可聴音を発生させる。これによって展示装置１では、センサスイッチ３９がオン操作され、回転テーブル４に載置された展示物の紛失を確認する検出信号がセンサ７から入力された際には、制御部４１は、前記スピーカ４０に可聴音を発生させ展示物の紛失をしらせる。また、回転テーブル４に載置された展示物の存在を確認する検出信号がセンサ７から入力された際には、制御部４１は、前記スピーカ４０の可聴音を停止させる。
【００３６】
以上のように構成された展示装置１の作用について、図７に従って説明する。図７は、本実施形態の展示装置１の使用状態を説明するための斜視図である。図７に示すように、展示装置１の回転テーブル４に展示物５０を載置する。展示物５０は、透光性を有する材質としてのガラスからなり、円板状の基台５１の上に本体５２が形成されている。そして、基台５１は、前記回転テーブル４に嵌合する大きさであって、同回転テーブル４の縁部５から上方にはみ出ない厚さに形成されている。
【００３７】
まず、展示装置１の回転テーブル４に展示物５０を設置する。そして、ストッパ６にて、展示物５０の基台５１を係止し、同展示物５０を回転テーブル４に固定する。次に、電源スイッチ３６を押してオン操作する。これによって、モータ３１には、制御部４１から駆動電流が入力され、駆動する。そして、これに応じて、筒部８は回転するので、回転テーブル４、レンズ１８、展示物５０は、一緒に時計回りに回転する。このとき、前記ダイヤル３７にて回転テーブル４の回転速度を所望の速度に設定する。
【００３８】
一方、光源１４には、制御部４１から第１発光モードに基づいた駆動電流が入力され、同光源１４は、これに応じて発光し、照射光を照射する。このとき、光源１４の前記各ダイオード１５〜１７から第１発光モードにて照射される照射光は、回転している前記レンズ１８によって、集束、拡散及び合成され、展示物５０に照射される。また、上述したように、レンズ１８は、回転テーブル４とともに回転しているので、同レンズ１８の凸部１９と対向する前記各ダイオード１５〜１７の位置は回転に応じて変化する。これによって、前記各ダイオード１５〜１７からレンズ１８に入射する照射光の入射角度は、回転に応じて変化する。従って、レンズ１８を通過する照射光は同レンズ１８の凸部１９にて拡散及び合成されるので、回転に応じてその発色を変化させる。そして、光源１４からレンズ１８を介して、展示物５０に照射された照射光は、基台５１及び本体５２を介して、同展示物５０の表面から出力される。つまり、展示物５０は、下方（ケース本体２内）から光源１４によって、その本体５２内部を介して照明されるとともに、回転しながらその発色を変化させる。また、レンズ１８を介して出力される照射光は、曲面２０によって集束され展示物５０に照射されるので、展示物５０は、その本体５２の内部からより照明される。
【００３９】
また、展示装置１では、発光制御スイッチ３８が切り換え操作されると、光源１４は、上述したように、第２発光モードで発光し、展示物５０に照射光を照射する。第２発光モードは、発光期間Ｔにおいて、第１発光モードの２倍のＴ２時間発光する。従って、展示物５０の発色は、第１発光モードに比べて、発光輝度が強く鮮明になる。これに対し、前記第１発光モードでは、発光期間Ｔにおいて、発光周期が４周期分設定されている。従って、前記展示物５０の発色は、前記第２発光モードに比べて、その濃淡がより強調される。
【００４０】
上記した本実施形態によれば、以下のような作用効果を奏する。
（１）上記実施形態では、ケース本体２内に光源１４を設け、展示物５０にその下方（ケース本体２内）から照射光を出力した。従って、展示装置１では、上面板３上に照明器を設けることなく、展示物５０の照明をすることができた。その結果、照明器を上面板３上に設けないので、照明器による展示物５０の鑑賞を妨げることがなく、同展示物５０の照明することができる。
【００４１】
（２）上記本実施形態では、レンズ１８に、複数の凸部１９と、曲面２０を形成した。従って、レンズ１８に入射する照射光は、複数の凸部１９によって、集束及び拡散されるとともに、曲面２０にて集束される。つまり、レンズ１８を介して照射される照射光は、同レンズ１８内にて合成され出力される。その結果、照射される照射光の発色を変化させることができるので、同照射光によって照明される展示物には、多彩な発色をさせることができる。また、レンズ１８を介して出力される照射光は、曲面２０によって集束され展示物５０に照射される。その結果、展示物５０をその本体５２の内部からより照明することができる。
【００４２】
（３）上記実施形態では、回転テーブル４に、その外縁から上方向へ縁部５を延出形成した。これによって、回転テーブル４に載置される展示物５０は、縁部５と嵌合される。その結果、回転テーブル４に載置される展示物５０は、地震による転倒を防ぐことができる。
【００４３】
（４）上記実施形態では、回転テーブル４に、ストッパ６を設けた。これによって、回転テーブル４に載置される展示物５０は、同ストッパ６によって固定される。その結果、回転テーブル４の回転の際には、展示物５０は、ストッパ６によって、固定されているので、回転の遠心力によって、飛び出すことを防ぐことができる。
【００４４】
（５）上記実施形態では、展示装置１に、回転テーブル４に載置される展示物の存在を検出するセンサ７を設けた。これによって、回転テーブル４に載置される展示物５０の紛失を検出するとスピーカ４０から可聴音を発生させる。その結果、展示装置１によって、展示される展示物５０の存在を確認することができ、盗難等の紛失を知ることができる。
【００４５】
（６）上記実施形態では、展示装置１の回転軸３０は、ギアボックス３３を介して、モータ３１の駆動軸３２と連結されている。従って、回転テーブル４に載置された展示物５０の重さが駆動軸３２に直接に加わることがない。その結果、前記モータ３１の駆動軸３２は、前記展示物５０の重さによる変形を防ぐことができる。
【００４６】
尚、発明の実施の形態は、上記実施形態に限定されるものではなく、以下のように変更してもよい。
・本実施形態では、光源１４を４個の青色ダイオード１５、８個の赤色ダイオード１６、８個の緑色ダイオード１７から構成し、基板１０の中心から同心円状に設けたが、この限りではなく、その配置や個数を適宜変更してもよい。また、光源１４を単色のダイオードから構成してもよい。
【００４７】
・本実施形態では、レンズ１８に複数の凸部１９を８個、１６個、１６個とレンズ１８の中心から同心円状に形成したが、この限りではなく、その配置や個数を適宜変更してもよい。
【００４８】
・本実施形態では、前記展示装置１には、ガラスからなる展示物５０を載置したが、この限りではなく、例えば、プラスチック等の透光性を有する材質からなる展示物を載置してもよい。
【００４９】
・本実施形態では、展示装置１にモータ３１を設け、回転テーブル４を一定方向（時計回り）に回転させたが、この限りではなく、逆方向（反時計回り）に回転できるように適宜変更してもよい。また、その際に、コントロールパネル３５に時計回り／反時計回りの切り換えスイッチを設け、制御部４１を介して制御できるように変更してもよい。
【００５０】
・本実施形態では、光源１４の各ダイオード１５〜１７の発光は、図６に示すタイミングで発光させたがこの限りではなく、発光期間Ｔにおける第１発光モードの発光時間Ｔ１、第２発光モードの発光時間Ｔ２の長さを適宜変更してもよい。これによって、光源１４の発色を変更することができる。また、所望の発色となっている際に、前記各ダイオード１５〜１７に供給されている駆動電流を保持し、同じ発色を維持するように制御部４１を適宜変更してもよい。また、その際に、コントロールパネル３５に発色の維持及び非維持の切り替えスイッチを設けてもよい。
【図面の簡単な説明】
【図１】本実施形態の展示装置の概略を説明するための斜視図。
【図２】図１におけるＡ−Ａ線方向の断面図。
【図３】同展示装置の上面図。
【図４】同展示装置のレンズと光源との位置関係を説明するための側面部分断面図。
【図５】同展示装置の電気的構成を説明するためのブロック図。
【図６】同展示装置の発光タイミングを説明するためのタイミングチャート。
【図７】同展示装置の使用状態を説明するための斜視図。
【符号の説明】
１…展示装置、２…ケース本体、３…載置面としての上面板、６…ストッパ、７…展示物検出手段としてのセンサ、１４…光源、１５…青色ダイオード、１６…赤色ダイオード、１７…緑色ダイオード、１８…レンズ、１９…凸部、２０…曲面、２８…駆動ベルトとしてのタイミングベルト、３１…駆動モータとしてのモータ、４０…報知手段としてのスピーカ、４１…制御手段としての制御部、５０…展示物、５１…基台。
【図１】
2004313263.tif 000003
【図２】
2004313263.tif 000004
【図３】
2004313263.tif 000005
【図４】
2004313263.tif 000006
【図５】
2004313263.tif 000007
【図６】
2004313263.tif 000008
【図７】
2004313263.tif 000009